【手続補正書】
【提出日】令和2年4月21日(2020.4.21)
【手続補正１】
【補正対象書類名】特許請求の範囲
【補正対象項目名】全文
【補正方法】変更
【補正の内容】
【特許請求の範囲】
【請求項１】
散薬収容容器から所定量の散薬を取り出し、これを所定の数に分割し、さらに個別に包装して排出する薬品払出装置であって、
前記散薬収容容器は、散薬を収容するものであり、収容した散薬を排出するための排出口となる排出口部を有し、
内部に薬品容器配置領域、薬品分割領域、薬品包装領域が設けられ、
前記薬品容器配置領域には、複数の前記散薬収容容器を保管するための容器保管装置が設けられ、
前記薬品分割領域には、前記散薬収容容器から排出された散薬を配分する分配皿と、当該分配皿に投入された散薬を掻き出すための掻出装置とが設けられ、
前記薬品包装領域には、薬品包装装置が設けられ、
前記掻出装置によって前記分配皿の散薬を掻き出して前記薬品包装領域側に落下させ、前記薬品包装装置によって散薬を包装する分包動作が可能であり、
各種情報を表示するための表示装置を有し、
前記容器保管装置に現在保管されている前記散薬収容容器に収容された散薬に関する情報を前記表示装置に表示することが可能であることを特徴とする薬品払出装置。
【請求項２】
各種入力動作を実施するための操作装置を備え、
前記操作装置は、前記表示装置と一体に設けられたタッチパネル式のものであり、
前記表示装置には、前記分配皿への散薬の排出速度を制御するための速度制御画面を表示可能となっており、
前記速度制御画面では、円環状の操作用画像が表示され、当該操作用画像が表示されている領域に触れつつ円周方向になぞる動作が検知されると、なぞる方向及びなぞる距離に応じて目標とする前記排出速度を決定し、決定した前記排出速度となるように散薬の排出動作を実施することを特徴とする請求項１に記載の薬品払出装置。
【請求項３】
前記速度制御画面では、現在の目標とする前記排出速度を示す値を表示する速度表示用画像がさらに表示されるものであり、
当該速度表示用画像は、目標とする前記排出速度が変化したことを条件として、前記操作用画像の外側に一時的に表示されるものであることを特徴とする請求項２に記載の薬品払出装置。
【請求項４】
前記散薬収容容器から散薬を排出させる容器載置装置が設けられ、
前記速度制御画面では、前記散薬収容容器が前記容器載置装置に載置されたとき、前記容器載置装置に載置された前記散薬収容容器の前記排出口部及びその周辺を撮影した動画像である観察画像をさらに表示可能であり、
前記分配皿の回転動作中において、前記排出口部及びその周辺の現在の様子を表示した前記観察画像と、前記操作用画像とが一画面で同時に表示されることを特徴とする請求項２又は３に記載の薬品払出装置。
【請求項５】
目標とする前記排出速度の変化に応じて前記操作用画像の表示色が変化することを特徴とする請求項２乃至４のいずれかに記載の薬品払出装置。
【請求項６】
前記分包動作の開始時において、これから実行する前記分包動作に関する情報を記憶する第１履歴記憶動作と、
前記分包動作の完了時において、正常に完了した前記分包動作に関する情報を記憶する第２履歴記憶動作とを実行するものであり、
前記第１履歴記憶動作で記憶した情報と、前記第２履歴記憶動作で記憶した情報からいずれかを選択し、選択された情報に基づいて前記分包動作を再実行することが可能であることを特徴とする請求項１に記載の薬品払出装置。
【請求項７】
前記分包動作において前記散薬収容容器から排出される散薬に関する薬品関連値の理論値を入力、又は、算出可能であり、
前記薬品関連値の実測値を前記分包動作の実施中に直接取得、又は、前記分包動作の実施中に直接取得した値から算出可能であって、
各種情報を印刷媒体に出力する印刷動作が実行可能であり、当該印刷動作では、前記理論値と前記実測値を出力可能であることを特徴とする請求項１に記載の薬品払出装置。
【請求項８】
前記印刷媒体は、散薬を包装するための薬品袋であり、
前記印刷動作で印刷する内容に応じて前記薬品袋の袋長を変更することを特徴とする請求項７に記載の薬品払出装置。
【請求項９】
前記分配皿への散薬の排出速度を取得可能であり、
過去に実施した前記分包動作の進捗に伴う前記排出速度の変化を示すグラフを表示可能であることを特徴とする請求項１に記載の薬品払出装置。
【請求項１０】
過去に実施した前記分包動作に関する動画像であり、動作中の前記分配皿及び前記分配皿の周辺を撮影した動画像である過去分包画像と、
過去に実施した前記分包動作の進捗に伴う前記分配皿への散薬の排出量の推移、又は、進捗に伴う前記分配皿への散薬の排出速度の変化を示すグラフとを表示可能であり、
同じ前記分包動作を対象とした前記過去分包画像と前記グラフとが同一画面に表示されることを特徴とする請求項１に記載の薬品払出装置。
【請求項１１】
前記過去分包画像で表示する前記分包動作の開始時刻から終了時刻までの全体時間と、表示中の前記過去分包画像が前記全体時間内のどの時刻であるのかを示す時間表示部がさらに表示されることを特徴とする請求項１０に記載の薬品払出装置。
【請求項１２】
実施中に不具合が発生した過去の前記分包動作を対象とするとき、前記グラフ上にエラー発生時刻を強調表示するエラー時刻表示動作を実施することを特徴とする請求項１０又は１１に記載の薬品払出装置。
【請求項１３】
内部及び外部に保管された前記散薬収容容器内の散薬の量である在庫量と、
将来実施される予定の前記分包動作で使用する散薬の量である予約量とを算出可能であり、
前記在庫量と前記予約量を比較する比較動作を実施し、当該比較動作の結果、将来実施される前記分包動作で散薬が不足される場合には、使用者に将来の散薬の不足を報知する報知動作を実施することを特徴とする請求項１に記載の薬品払出装置。
【請求項１４】
請求項１に記載の薬品払出装置と、散薬収容容器と、薬品秤量装置とを備え、前記散薬収容容器から所定量の散薬を取り出して所定の数に分割することが可能な散薬調剤業務支援システムであって、
前記散薬収容容器は、容器側情報記憶手段とを有し、
前記薬品秤量装置は、前記散薬収容容器の重量を測定する重量測定手段と、容器側情報記憶手段に対して前記散薬に関する情報の読み取りを実施する情報読込手段及び書き込みを実施する情報書込手段を備え、
前記薬品払出装置には、前記散薬収容容器を載置することで前記散薬収容容器を振動させる容器載置装置が設けられ、容器載置装置に載置した前記散薬収容容器の容器側情報記憶手段から情報を読み取る情報読取動作が可能であり、
前記薬品秤量装置は、前記重量測定手段により測定された前記散薬収容容器に収容する散薬の秤量結果に関するデータと、前記情報読込手段によって、前記散薬収容容器から読み取った散薬に関する情報を含むデータとを前記薬品払出装置に送信することを特徴とする散薬調剤業務支援システム。
【請求項１５】
前記散薬収容容器が前記容器載置装置に載置された状態で、前記情報読取動作が実施され、前記分配皿に散薬を供給する前記散薬収容容器が前記容器載置装置に正しく載置されているか否かが確認されることを特徴とする請求項１４に記載の散薬調剤業務支援システム。
【請求項１６】
前記薬品秤量装置が、前記散薬収容容器に収容する散薬の秤量結果に関するデータと、前記散薬収容容器から読み取った散薬に関する情報を含むデータとを前記薬品払出装置に送信した後、前記散薬収容容器が前記容器載置装置に載置された状態で、前記情報読取動作が実行され、前記情報読取動作に基づいて、前記散薬収容容器に収容された散薬を分包する分包動作に対応する処方を特定することを特徴とする請求項１４又は１５に記載の散薬調剤業務支援システム。
【請求項１７】
散薬収容容器を備えた薬品払出装置及び薬品秤量装置を備え、前記散薬収容容器から取り出した散薬を所定の数に分割することが可能な散薬調剤業務支援システムであって、
前記散薬収容容器は、散薬を収容するものであり、収容した散薬を排出するための排出
口となる排出口部と、容器側情報記憶手段とを有し、
前記薬品秤量装置は、前記散薬収容容器の重量を測定する重量測定手段と、散薬収容容器を特定するための情報の書き込みを実施する情報書込手段とを備え、
前記散薬収容容器を載置することで前記散薬収容容器を振動させる容器載置装置と、分配皿が設けられ、容器載置装置に載置した前記散薬収容容器を特定するための情報を記憶する前記容器側情報記憶手段から情報を読み取る情報読取動作が可能であり、
前記薬品秤量装置が、前記重量測定手段により測定された前記散薬収容容器に収容する散薬の秤量結果に関するデータと、前記容器側情報記憶手段によって、前記散薬収容容器から読み取った前記散薬収容容器を特定するための情報を含むデータとを前記薬品払出装置に送信することを特徴とする散薬調剤業務支援システム。
【請求項１８】
散薬収容容器を備えた薬品払出装置、薬品秤量装置及び制御装置を備え、前記散薬収容容器から取り出した散薬を所定の数に分割することが可能な散薬調剤業務支援システムであって、
前記散薬収容容器は、散薬を収容するものであり、収容した散薬を排出するための排出口となる排出口部を有し、
前記薬品秤量装置は、前記散薬収容容器の重量を測定する重量測定手段を備え、
前記重量測定手段により測定された前記散薬収容容器に収容する散薬の秤量結果に関するデータを前記制御装置に送信することを特徴とする散薬調剤業務支援システム。